(57)【要約】      （修正有）【課題】無線通信システムにおいて、異可変のガードバンドと固定の設計帯域幅を使用する設定可能な動作帯域幅をサポートする技術を提供する。【解決手段】高速フーリエ変換（ＦＦＴ）のサイズ、周期的なプリフィックスの長さ、およびサンプルレートのような種々のパラメータの値は、設計帯域幅に基づいて選択され得る。前記設計帯域幅は、合計Ｋ個のサブキャリアに関係付けられ得る。異なる動作帯域幅は、使用可能なサブキャリアの異なる数の選択によってサポートされ得る（８１２）。送信機と受信機は、選択された動作帯域幅にかかわらず、同じＦＦＴサイズ、周期的なプリフィックスの長さ、およびサンプルレートを使用して、伝送のための処理を行うことができる。このシステムは、異なる動作帯域幅および／または伝送の異なる部分(例えば伝送の本体およびプリアンブル)についての異なるパラメータ値(例えばＦＦＴサイズ)を使用し得る。【選択図】図８
2014161013.tif 000002
【特許請求の範囲】
【請求項１】
無線通信システムのための設定可能な動作帯域幅に基づいて、使用可能なサブキャリアおよびガードサブキャリアを決定するように、かつ前記使用可能なサブキャリア上で送信された伝送のための処理を行うように、構成されたプロセッサと、
前記プロセッサに結合されたメモリ、
を備える装置。
【請求項２】
前記プロセッサは、前記使用可能なサブキャリアに変調シンボルをマップする、前記ガードサブキャリアにゼロのシンボルをマップする、かつ前記マップされた変調シンボルおよびゼロのシンボルに基づいて直交周波数分割多重（ＯＦＤＭ）シンボルを生成する、ように構成される、請求項１に記載の装置。
【請求項３】
前記プロセッサは、前記動作帯域幅に無関係である、高速フーリエ変換（ＦＦＴ）のサイズおよび周期的なプリフィックスの長さに基づいて前記ＯＦＤＭシンボルを生成するように構成される、請求項２に記載の装置。
【請求項４】
前記プロセッサは、前記動作帯域幅に無関係であるサンプルレートで出力サンプルを生成するように構成される、請求項１に記載の装置。
【請求項５】
前記プロセッサは、前記使用可能なサブキャリアから受信シンボルを得る、前記ガードサブキャリアから受信シンボルを廃棄する、かつ前記伝送において送信されたデータを再生するために前記使用可能なサブキャリアからの前記受信シンボルを処理する、ように構成される、請求項１に記載の装置。
【請求項６】
前記プロセッサは、前記動作帯域幅に無関係であるサンプルレートで受信サンプルを得る、かつ前記使用可能なサブキャリアおよびガードサブキャリアについての前記受信シンボルを得るために前記受信サンプルを処理する、ように構成される、請求項５に記載の装置。
【請求項７】
前記無線通信システムは、合計Ｋ個のサブキャリアに対応する設計帯域幅に関係している、そして、前記動作帯域幅は、Ｎ個の使用可能なサブキャリアに対応する、
ここで、Ｋ≧Ｎ＞１である、請求項１に記載の装置。
【請求項８】
前記Ｎ個の使用可能なサブキャリアは、合計Ｋ個のサブキャリアの中で中央に位置させられる、請求項７に記載の装置。
【請求項９】
前記ガードサブキャリアは、前記動作帯域幅の両側で均等に分散配置される、請求項１に記載の装置。
【請求項１０】
前記無線通信システムは、単一の設計帯域幅に関係している、および、前記動作帯域幅は、前記設計帯域幅によってサポートされた１つの範囲の帯域幅から選択される、そして、前記プロセッサは、前記設計帯域幅用のパラメータ値の１セットに基づいて前記伝送のための処理を行なうように構成される、請求項１に記載の装置。
【請求項１１】
前記無線通信システムは、多数の設計帯域幅、帯域幅のそれぞれの範囲をサポートする各設計帯域幅に関係している、そして、前記プロセッサは、前記動作帯域幅をサポートする設計帯域幅用のパラメータ値の１セットに基づいて前記伝送のための処理を行なうように構成される、請求項１に記載の装置。
【請求項１２】
前記無線通信システムは、第１および第２の設計帯域幅に関係しており、そして、前記プロセッサは、前記動作帯域幅が第１の範囲内にある場合に、前記第１の設計帯域幅用パラメータ値の第１のセットに基づいて前記伝送のための処理を行なうように、かつ前記動作帯域幅が前記第１の範囲より低い第２の範囲内にある場合に、前記第２の設計帯域幅用パラメータ値の第２のセットに基づいて前記伝送のための処理を行なうように構成される、請求項１に記載の装置。
【請求項１３】
前記動作帯域幅は、前記無線通信システムに利用可能な周波数帯域幅に基づいて決定される、請求項１に記載の装置。
【請求項１４】
前記動作帯域幅は、前記無線通信システム用のスペクトルの放射マスクに基づいて決定される、請求項１に記載の装置。
【請求項１５】
前記動作帯域幅は、異なる数のガードサブキャリアおよび固定の直交周波数分割多重(ＯＦＤＭ)シンボルの持続時間に関連した複数の帯域幅から選ばれる、請求項１に記載の装置。
【請求項１６】
無線通信システム用の設定可能な動作帯域幅に基づいて、使用可能なサブキャリアおよびガードサブキャリアを決定することと、
前記使用可能なサブキャリア上で送信された伝送のための処理を行なうこと、を含む方法。
【請求項１７】
前記伝送のための処理を行うことは、
前記使用可能なサブキャリアへ変調シンボルをマップすることと、
前記ガードサブキャリアへゼロのシンボルをマップすることと、
前記マップされた変調シンボルおよびゼロのシンボルに基づいて直交周波数分割多重（ＯＦＤＭ）シンボルを生成することを含む、請求項１６に記載の方法。
【請求項１８】
前記伝送のための処理を行うことは、
前記使用可能なサブキャリアから受信シンボルを得ることと、
前記ガードサブキャリアからの受信シンボルを廃棄することと、
前記伝送において送信されたデータを再生するために前記使用可能なサブキャリアからの前記受信シンボルを処理することを含む、請求項１６に記載の方法。
【請求項１９】
無線通信システム用の設定可能な動作帯域幅に基づいて、使用可能なサブキャリアおよびガードサブキャリアを決定するための手段と、
前記使用可能なサブキャリア上で送信された伝送のための処理を行なうための手段、
を備える装置。
【請求項２０】
前記伝送のための処理を行なうための前記手段は、
前記使用可能なサブキャリアに変調シンボルをマップするための手段と、
前記ガードサブキャリアにゼロのシンボルをマップするための手段と、
前記マップされた変調シンボルおよびゼロのシンボルに基づいて直交周波数分割多重（ＯＦＤＭ）シンボルを生成するための手段、
を備える請求項１９に記載の装置。
【請求項２１】
前記伝送のための処理を行なうための前記手段は、
前記使用可能なサブキャリアから受信シンボルを得るための手段と、
前記ガードサブキャリアからの受信シンボルを廃棄するための手段と、
前記伝送で送信されたデータを再生するために前記使用可能なサブキャリアからの前記受信シンボルを処理するための手段、
を備える請求項１９に記載の装置。
【請求項２２】
無線通信システム用の設定可能な動作帯域幅、この動作帯域幅は異なる数のガードサブキャリアおよび固定の直交周波数分割多重（ＯＦＤＭ）シンボルの持続時間に関連した複数の帯域幅から選ばれたものである、に基づいて使用可能なサブキャリアおよびガードサブキャリアを決定するように、かつ、前記使用可能なサブキャリア上で送信された伝送、この伝送は前記固定の持続時間を持つＯＦＤＭのシンボルを含むものである、のための処理を行うように、構成されたプロセッサと、
前記プロセッサに結合されたメモリ、
を備える装置。
【請求項２３】
第１の動作帯域幅を使用して送信された伝送の第１の部分のための処理を行うように、かつ第２の動作帯域幅を使用して送信された前記伝送の第２の部分のための処理を行なうように、構成されたプロセッサと、
前記プロセッサに結合されたメモリ、
を備える装置。
【請求項２４】
前記第１の部分はプリアンブルに対応し、そして前記第２の部分が前記伝送の本体に対応する、請求項２３に記載の装置。
【請求項２５】
前記第１の動作帯域幅は、前記第２の動作帯域幅より小さい、請求項２４に記載の装置。
【請求項２６】
前記プロセッサは、前記伝送の前記第１の部分に使用され、そして前記第１の動作帯域幅に基づいて決定された、サブキャリアの第１のセット上でシグナリングを送信するように、かつ前記伝送の前記第２の部分に使用され、そして前記第２の動作帯域幅に基づいて決定された、サブキャリアの第２のセット上でデータを送信するように、構成される、請求項２３に記載の装置。
【請求項２７】
前記シグナリングは、前記伝送の前記第２の部分用パラメータのための情報を含む、請求項２６に記載の装置。
【請求項２８】
前記パラメータは、前記第２の動作帯域幅、高速フーリエ変換（ＦＦＴ）のサイズ、周期的なプリフィックスの長さ、周波数ホッピングシーケンスあるいはそれらの組み合わせを含む、請求項２７に記載の装置。
【請求項２９】
前記プロセッサは、前記伝送の前記第１の部分に使用され、そして前記第１の動作帯域幅に基づいて決定された、サブキャリアの第１のセットからシグナリングを受信するように、かつ前記伝送の前記第２の部分に使用され、そして前記第２の動作帯域幅に基づいて決定された、サブキャリアの第２のセットからデータを受信するように、構成される、請求項２３に記載の装置。
【請求項３０】
前記プロセッサは、前記伝送の第２の部分用パラメータについての情報を得るためにシグナリングを処理するように、かつ前記シグナリングから得られた前記情報に基づいて前記伝送の前記第２の部分を処理するように、構成される、請求項２９に記載の装置。
【請求項３１】
前記プロセッサは、前記第１の部分に適用可能な第１の設計帯域幅用パラメータ値の第１のセットに基づいて前記伝送の前記第１の部分のための処理を行なうように、かつ前記第２の部分に適用可能な第２の設計帯域幅用パラメータ値の第２のセットに基づいて前記伝送の第２の部分のための処理を行なうように、構成される、請求項２３に記載の装置。
【請求項３２】
前記第１の設計帯域幅は、前記第１の部分に適用可能な設計帯域幅の第１のセットにあり、そして、前記第２の設計帯域幅は、前記第２の部分に適用可能な設計帯域幅の第２のセットにあり、前記第１のセットは、前記第２のセットより少数の設計帯域幅を含んでいる、請求項３１に記載の装置。
【請求項３３】
前記プロセッサは、前記第１および第２の部分に適用可能な設計帯域幅用の１セットのパラメータ値に基づいて前記伝送の前記第１および第２の部分のための処理を行なうように、構成される、請求項２３に記載の装置。
【請求項３４】
前記第１の動作帯域幅は、前記第１の部分に利用可能な動作帯域幅の第１のセットから選ばれる、そして、
前記第２の動作帯域幅は、前記第２の部分に利用可能な動作帯域幅の第２のセットから選ばれる、請求項２３に記載の装置。
【請求項３５】
前記第１のセットは、前記第２のセットより少数の動作帯域幅を含む、請求項３４に記載の装置。
【請求項３６】
第１の動作帯域幅を使用して送信された伝送の第１の部分のための処理を行なうことと、
第２の動作帯域幅を使用して送信された前記伝送の第２の部分のための処理を行なうこと、
を含む方法。
【請求項３７】
前記伝送の前記第１の部分に使用され、そして前記第１の動作帯域幅に基づいて決定された、サブキャリアの第１のセット上でシグナリングを送信することと、
前記伝送の前記第２の部分に使用され、そして前記第２の動作帯域幅に基づいて決定された、サブキャリアの第２のセット上でデータを送信すること、
をさらに含む請求項３６に記載の方法。
【請求項３８】
前記伝送の前記第１の部分に使用され、そして前記第１の動作帯域幅に基づいて決定された、サブキャリアの第１のセットからシグナリングを受信することと、
前記伝送の前記第２の部分に使用され、そして前記第２の動作帯域幅に基づいて決定された、サブキャリアの第２のセットからデータを受信すること、
をさらに含む請求項３６に記載の方法。
【請求項３９】
前記第１の部分のための処理を行うことは、前記伝送の第２の部分のパラメータ情報を得るように前記シグナリングを処理することを含み、かつ前記第２の部分のための処理を行うことは、前記シグナリングから得られた前記情報に基づいて前記伝送の前記第２の部分を処理することを含む、
請求項３８に記載の方法。
【請求項４０】
第１の動作帯域幅を使用して送信された伝送の第１の部分のための処理を行なうための手段と、
第２の動作帯域幅を使用して送信された前記伝送の第２の部分のための処理を行なうための手段、
を備える装置。
【請求項４１】
前記伝送の前記第１の部分に使用され、そして前記第１の動作帯域幅に基づいて決定された、サブキャリアの第１のセット上でシグナリングを送信するための手段と、
前記伝送の前記第２の部分に使用され、そして前記第２の動作帯域幅に基づいて決定された、サブキャリアの第２のセット上でデータを送信するための手段、
をさらに備える請求項４０に記載の装置。
【請求項４２】
前記伝送の前記第１の部分に使用され、そして前記第１の動作帯域幅に基づいて決定された、サブキャリアの第１のセットからシグナリングを受信するための手段と、
前記伝送の前記第２の部分に使用され、そして前記第２の動作帯域幅に基づいて決定された、サブキャリアの第２のセットからデータを受信するための手段、
をさらに備える請求項４０に記載の装置。
【請求項４３】
前記第１の部分のための処理を行なうための前記手段は、前記伝送の前記第２の部分用パラメータの情報を得るために前記シグナリングを処理するための手段を備え、そして前記第２の部分のための処理を行なうための前記手段は、前記シグナリングから得られた前記情報に基づいて前記伝送の前記第２の部分を処理するための手段を備える、請求項４２に記載の装置。
【発明の詳細な説明】
【優先権主張】
【０００１】
本出願は、２００６年１０月２７日に出願され、この譲受人に譲渡され、引用することによってここに組込まれる、“ガードキャリアを使用する柔軟な帯域幅を達成する方法と装置”と題された米国におけるシリアル番号６０／７３１，０２８の仮出願の優先権を主張するものである。
【背景】
【０００２】
（I．分野）
本件の開示は、一般的には通信、および、より具体的には無線通信システムにおけるデータ伝送（data transmission）のための技術に関係している。
【０００３】
（II．背景）
無線通信システムは、音声、ビデオ、パケット・データ、メッセージ、放送等のような種々の通信サービスを提供するために広く展開されている。これらのシステムは、利用可能なシステムリソースの共有により多数のユーザのための通信をサポートすることができる多重アクセスシステムであるかもしれない。そのような多重アクセスシステムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システムおよび単一キャリアのＦＤＭＡ（ＳＣ−ＦＤＭＡ）システムを含んでいる。
【０００４】
無線通信システムは、典型的に、特定の帯域幅のために設計されている。サンプルレート、フレーム持続期間等のような種々のシステム・パラメータは、所望の性能を達成するためにシステム帯域幅に基づいて選択され得る。システムは、異なる帯域幅が利用可能かもしれない異なる地理的な地域で展開されてもよい。そのとき、システム・パラメータの値の異なるセットは異なる帯域幅のための使用に選ばれてもよい。しかしながら、もし多くの帯域幅が可能な場合、パラメーターの選択は困難な作業かもしれない。さらに、いくつかのパラメーター上に制約があるかもしれない、それは、他のパラメーターの選択をより困難か不可能にするかもしれない。
【０００５】
したがって、技術の分野において異なる帯域幅を柔軟にサポートするという必要がある。
【発明の概要】
【０００６】
無線通信システムで異なる帯域幅をサポートする技術は、ここに説明される。
【０００７】
１つの態様において、システムは、固定の設計帯域幅および可変のガードバンドを使用して、設定可能な動作帯域幅をサポートする。高速フーリエ変換（ＦＦＴ）のサイズ、周期的なプリフィックスの長さ、およびサンプルレートのような種々のパラメータに関する値は、設計帯域幅に基づいて選択され得る。設計帯域幅は、合計Ｋ個のサブキャリアに関係付けられ得る、ここで、Ｋ＞１。動作帯域幅は、Ｎ個の使用可能なサブキャリアに関係付けられ得る、ここで、Ｋ≧Ｎ＞１。異なる動作帯域幅は、使用可能なサブキャリアの異なる数の選択によって容易にサポートされ得る。残りのＫ−Ｎ個のサブキャリアは、伝送（transmission）に使用されないガードサブキャリアである。送信機と受信機は、選択された動作帯域幅にかかわらず、同じＦＦＴサイズ、周期的なプリフィックス長さ、およびサンプルレートを使用して、伝送のための処理を行うことができる。
【０００８】
他の態様においては、システムは、異なる動作帯域幅および／または異なるパラメータ値を、伝送の異なる部分に使用することができる。第１の動作帯域幅（あるいはサブキャリアの第１のセット）は、伝送の第１の部分に使用され得る。第２の動作帯域幅(あるいはサブキャリアの第２のセット)は、伝送の第２の部分に使用され得る。第１の部分は、プリアンブルに対応し得る、また、第２の部分は伝送の本体（main body ）に対応し得る。
【０００９】
第１および第２の部分は、同じ、または異なる設計帯域幅に関係付けられ得る。設計帯域幅のおのおのは、伝送に使用するパラメータ値の特定のセットに関係付けられ得る。
【００１０】
開示の特徴および種々態様は、より詳細に下に説明される。
【図面の簡単な説明】
【００１１】
【図１】無線通信システムを示す。
【図２】端末と基地局のブロックダイヤグラムを示す。
【図３】固定の動作帯域幅のためのＯＦＤＭ変調器を示す。
【図４】設定可能な動作帯域幅および可変のガードバンドを例示する。
【図５Ａ】固定の設計帯域幅用のサブキャリア構造を示す。
【図５Ｂ】設定可能な動作帯域幅用のサブキャリア構造を示す。
【図６】設定可能な動作帯域幅用のＯＦＤＭ変調器を示す。
【図７】設定可能な動作帯域幅用のＯＦＤＭ復調器を示す。
【図８】設定可能な動作帯域幅を備えた伝送のためのプロセスを示す。
【図９】設定可能な動作帯域幅を備えた伝送のための装置を示す。
【図１０】スーパーフレーム構造を示す。
【図１１】伝送の異なる部分用の異なる帯域幅の使用を示す。
【図１２】異なる部分用の異なる帯域幅を備えた伝送のためのプロセスを示す。
【図１３】異なる部分用の異なる帯域幅を備えた伝送のための装置を示す。
【詳細な説明】
【００１２】
図１は、多数の基地局１１０を備えた無線通信システム１００を示す。基地局は、一般に、端末と通信し、そして、アクセス・ポイント、ノードＢ、高性能化された(enhanced)ノードＢ（ｅＮｏｄｅ Ｂ）などとも呼ばれ得る固定局である。各基地局１１０は、各自の地理的なエリアに通信サービス区域を提供する。用語「セル」は、基地局、および／または、その用語が使用される文脈に依存して、そのカバーエリアを指すことができる。システム・キャパシティーを改善するために、基地局のカバーエリアは多数のより小さなエリア(例えば３つのより小さなエリア)へ分割され得る。より小さなエリアのそれぞれは、それぞれの基地局トランシーバー・サブシステム（ＢＴＳ）によって供され得る。用語「セクター」は、ＢＴＳ、および／または、用語が使用される文脈に依存して、そのカバーエリアを指すことができる。セクター化されたセルについては、そのセルのすべてのセクターのためのＢＴＳは、典型的に、そのセルのための基地局内に、共同で設置される。
【００１３】
端末１２０は、システムの全体にわたって分散され得る。端末は、静止、または移動可能であるかもしれない、そして、アクセス端末、移動局、ユーザ装置、モバイル装置、局などと呼ばれ得る。端末は、携帯電話、携帯情報端末（ＰＤＡ）、無線モデム、無線通信装置、ハンドヘルド装置、加入者ユニット等かもしれない。端末はダウンリンクとアップリンクによって１以上の基地局と通信することができる。ダウンリンク（またはフォワード・リンク）は、基地局から端末への通信リンクを指す。また、アップリンク(またはリバース・リンク)は、端末から基地局への通信リンクを指す。
【００１４】
システム・コントローラ１３０は、基地局１１０へ結合され、そして、これらの基地局に調整と制御を提供し得る。システム・コントローラ１３０は、単一のネットワーク・エンティティあるいはネットワーク・エンティティの集まりかもしれない。システム・コントローラ１３０は、無線ネットワーク・コントローラ（ＲＮＣ）、移動通信交換センター（ＭＳＣ）等を含み得る。
【００１５】
ここに説明された技術は、多重アクセスシステム（例、ＣＤＭＡ、ＦＤＭＡ、ＴＤＭＡ、ＯＦＤＭＡ、およびＳＣ−ＦＤＭＡシステム)、放送システム、無線ローカル・エリア・ネットワーク（ＷＬＡＮ）等のような様々な通信システムに使用され得る。「システム」、「ネットワーク」という用語は、しばしば交換可能に使用される。ＯＦＤＭＡシステムおよびいくつかの放送システムは、直交周波数分割多重(ＯＦＤＭ)を利用する。ＳＣ−ＦＤＭＡシステムは、単一キャリアの周波数分割多重（ＳＣ−ＦＤＭ）を利用する。ＯＦＤＭおよびＳＣ−ＦＤＭは、システム帯域幅を多数（Ｋ）の直交サブキャリアへ分割する、それらは、トーン、サブバンド、ビンなどとも一般に呼ばれる。各サブキャリアは、データで変調され得る。ＳＣ−ＦＤＭは、サブキャリア上の時間領域で変調シンボルを送信するのに対して、ＯＦＤＭは、サブキャリア上の周波数領域で変調シンボルを送信する。明瞭さのために、技術はＯＦＤＭベースのシステムについて下記に説明される、それはＯＦＤＭを利用するシステムである。ＯＦＤＭベースのシステムは、ＯＦＤＭＡシステム、放送システム、多重無線技術(例、ダウンリンク上のＯＦＤＭ、およびアップリンク上のＣＤＭＡ）を利用するシステム等かもしれない。
【００１６】
図２は、基地局１１０および端末１２０のブロックダイヤグラムを示す、それは、図１の中の、端末のうちの１つ、および基地局のうちの１つである。基地局１１０において、送信（ＴＸ）データプロセッサ２１０は、例えば、データソース（図示せず）からのトラフィックデータおよびコントローラ/プロセッサ２４０からのシグナリングのような、異なるタイプのデータを受け取る。ここに使用されるように、「データ」は、一般的に、例えば、トラフィックデータ、シグナリング、オーバヘッド・データ、コントロール・データ、パイロット、放送データ、メッセージなどのような、任意のタイプのデータを指す。プロセッサ２１０は、異なるタイプのデータを処理（例えば、フォーマット、エンコード、インターリーブ、およびシンボル・マップ)し、そして変調シンボルを供給する。ＯＦＤＭ変調器２２０は、ＯＦＤＭの変調シンボルを処理し、出力サンプルあるいはチップを供給する。送信機（ＴＭＴＲ）２２２は、出力サンプルを処理(例えば、アナログに変換する、増幅する、フィルタする、および、周波数をアップコンバートする)し、そしてダウンリンク信号を生成する、それはアンテナ２２４を介して送信される。
【００１７】
端末１２０では、アンテナ２５２は、基地局１１０、および、ことによると他の基地局からダウンリンク信号を受信し、受信機（ＲＣＶＲ）２５４に受信信号を供給する。受信機２５４は、受信信号を調整(例えば、フィルタする、増幅する、周波数をダウンコンバーする、またディジタル化する)し、そして受信サンプルを供給する。ＯＦＤＭ復調器（Ｄｅｍｏｄ）２６０は、ＯＦＤＭの受信サンプルを処理し、受信シンボルを供給する。受信（ＲＸ）データプロセッサ２７０は、受信シンボルを処理（例えば、検出、シンボル・デマップ、デインターリーブ、およびデコード)し、そして、端末１２０のためにデコードされたデータを供給する。
【００１８】
アップリンクにおいては、端末１２０で、データが、ＴＸデータプロセッサ２９０によって処理され、ＯＦＤＭ変調器２９２によって変調され、送信機２９４によって調整され、アンテナ２５２を介して送信される。基地局１１０では、端末１２０および他の端末からのアップリンク信号が、アンテナ２２４によって受信され、受信機２３０によって調整され、ＯＦＤＭ復調器２３２によって復調され、そして端末によって送信されたデータを再生するためにＲＸデータプロセッサ２３４によって処理される。一般に、アップリンク伝送のための処理は、ダウンリンク伝送のための処理と、類似しているか、あるいは異なっているかもしれない。
【００１９】
コントローラ２４０および２８０は、基地局１１０および端末１２０における動作をそれぞれ指示する。メモリ２４２および２８２は、基地局１１０および端末１２０のためにデータとプログラムのコードをそれぞれ格納する。
【００２０】
ＯＦＤＭベースのシステムは、典型的に、Ｗヘルツの全帯域幅を、合計Ｋ個のサブキャリアへ分割する。Ｋは、高速フーリエ変換（ＦＦＴ）および逆ＦＦＴ（ＩＦＦＴ）オペレーションの使用により、より速い処理を可能にするために、典型的に、２の冪乗である。Ｋ個の変調シンボルは、各ＯＦＤＭシンボル期間において、１つのサブキャリア当たり１つの変調シンボル、合計Ｋ個のサブキャリア上で送信され得る。
【００２１】
図３は、ＯＦＤＭ変調器２２０ａのブロックダイヤグラムを示す、それは図２の中のＯＦＤＭ変調器２２０および２９２に使用され得る。ＯＦＤＭ変調器２２０ａの中では、直列−並列変換器３２０は、データ（例えば、トラフィックデータ、シグナリング、パイロットなど）の変調シンボルを受け取り、合計Ｋ個のサブキャリアにこれらの変調シンボルをマップする。マップされた変調シンボルは、Ｖ(ｋ)として表示される、ここで、ｋはサブキャリアのインデックスである。ＩＦＦＴユニット３２４は、各ＯＦＤＭシンボル期間において、合計Ｋ個のサブキャリアについてのＫ個の変調シンボルを受け取り、前記Ｋ個の変調シンボルを、Ｋ−ポイントＩＦＦＴによって時間領域へ変換し、Ｋ個の時間領域サンプルを含んでいる変換されたシンボルを供給する。各時間領域のサンプルは、１つのサンプル周期において送信される複素数である。並列−直列変換器３２６は、各変換されたシンボルであるＫ個のサンプルを直列化する。
【００２２】
周期的プリフィックス発生器３２８は、Ｋ＋Ｃ個のサンプルを含んでいるＯＦＤＭシンボルを形成するために、各変換されたシンボルの一部(すなわちＣ個のサンプル)を、周期的／循環的に繰り返す。繰り返された部分は、周期的なプリフィックスまたはガードインターバルと呼ばれ、そして、Ｃは周期的プリフィックスの長さである。周期的なプリフィックスは、周波数選択性フェージング(それはシステム帯域幅を横断して変化する周波数レスポンスである)によって引き起こされるシンボル間干渉（inter-symbol interference）（ＩＳＩ）に立ち向かうために使用される。
【００２３】
フィルタ３３０は、周期的プリフィックス発生器３２８からのＯＦＤＭシンボル上で、パルス整形またはウインドウ処理を行う。フィルタ３３０は、各ＯＦＤＭシンボルの前方のＬ個のサンプルおよび後方のＬ個のサンプル、周期的に繰り返す。それから、ＯＦＤＭシンボルのためにフィルタされたサンプルを得るために、フィルタ３３０は、希望のインパルス応答に従って、各拡張ＯＦＤＭシンボルをフィルタする。パルス整形は、フィルタされたサンプルがシステムに課されたスペクトルの放射マスクに一致することを保証する。それから、フィルタ３３０は、各ＯＦＤＭシンボルの最後のＬ個のフィルタされたサンプルが次のＯＦＤＭシンボルの最初のＬ個のフィルタされたサンプルにオーバーラップするように、パルス整形されたＯＦＤＭシンボルをオーバーラップする。それから、フィルタ３３０は、各サンプル期間についてフィルタされたサンプルを合計し、出力サンプルを供給する、そして、それはｙ（ｎ）として表示される、ここで、ｎがサンプル期間のインデックスである。オーバーラップと加算操作のために、パルス整形の後のＯＦＤＭシンボルはそれぞれＫ+Ｃ+Ｌ個のサンプルを含んでいる。ＯＦＤＭシンボル期間は、１つのＯＦＤＭシンボルの持続期間であり、Ｋ+Ｃ+Ｌサンプリング期間に等しい。
【００２４】
図３に示されるように、送信機は、各ＯＦＤＭシンボル期間において、合計Ｋ個のサブキャリア上で、周波数領域におけるＫ個の変調シンボルを送信し得る。送信機は、Ｋ個の時間領域サンプルを生成するために、ＩＦＦＴによりＫ個の変調シンボルを時間領域に変換することができる。長さＣの周期的なプリフィックスおよび長さＬのウインドウもまた付加され得る。それから、Ｋ+Ｃ+Ｌサンプルのこのディジタル・シーケンスは、ディジタル・アナログ変換器（ＤＡＣ）によりアナログ波形に変換され得る。ＤＡＣは、Ｗのサンプルレートで動作され得る。また、サンプル間の間隔は１／Ｗ秒であり得る。受信機は、アナログ受信信号を１／Ｗ秒おきにサンプリングすることにより、ディジタル・サンプルを得ることができる。
【００２５】
ＯＦＤＭシンボルの期間は、ＴOFDMとして表示され、次のように与えられ得る。
【００２６】
ＴOFDM ＝ （Ｋ＋Ｃ＋Ｌ）／Ｗ 式（１）
１つのＯＦＤＭシンボルがＯＦＤＭベースのシステムでの伝送の基本単位であるので、システムにおける時間区間は、典型的に、TＯＦＤＭの単位で与えられる。例えば、データ・パケットは、ＮFRAME ＯＦＤＭシンボルにまたがるフレーム中でエンコードされ送信され得る。このパケット用の伝送時間は、少なくともＮFRAME・TＯＦＤＭ秒になるであろう。データ・パケットの送信の開始と、そのデータ・パケットの受信の終了の間の時間間隔は、しばしば 待ち時間（latency）と呼ばれる。ＯＦＤＭベースのシステムにおける待ち時間が、TＯＦＤＭに直接依存していることを理解するのは簡単である。
【００２７】
式（１）の中で示されるように、TＯＦＤＭは、典型的に、帯域幅Ｗの関数である。したがって、異なる帯域幅のために設計されたＯＦＤＭベースのシステムは、異なる待ち時間を持ち得る。いくつかのアプリケーションは、帯域幅に依存しない厳密な待ち時間の必要条件を有するので、これは望ましくないかもしれない。異なる帯域幅について同様の待ち時間を保証するために、ＦＦＴサイズ、フレーム持続時間などのような、ある種のシステム・パラメータは、帯域幅の関数として定義されて得る。しかしながら、このパラメータの選択は、特に、多くの可能な帯域幅の割付けがある場合、困難な仕事かもしれない。さらに、ＦＦＴサイズ、フレーム持続時間などに制約があり得る、それはパラメータの選択をより困難か不可能にするかもしれない。
【００２８】
受信機のサンプルレートは、典型的に、帯域幅Ｗの整数倍に等しい。異なるサンプルレートが異なる帯域幅に使用され得る。このことは、ハードウェア(例えばアナログ・ディジタル変換器)が異なるサンプルレートをサポートするように設計されるべき必要があり得るので、不利かもしれない。
【００２９】
一つの態様において、ＯＦＤＭベースのシステムは、固定の設計帯域幅および可変のガードバンドを使用することにより、異なる帯域幅を柔軟にサポートする。これは、システムが同じサンプルレートを使用し、すべてのサポートされた帯域幅について同様の待ち時間を提示することを可能にする。
【００３０】
図４は、異なる帯域幅をサポートするために可変のガードバンドを使用することを例示する。ＯＦＤＭベースのシステムは、Ｗヘルツの固定の帯域幅のために設計されている。このシステムは、動作帯域幅の一端または両端において、１つ以上のガードバンドを使用することによって、Ｂヘルツの設定可能な動作帯域幅をサポートする。動作帯域幅Ｂは、設計帯域幅Ｗに等しい、あるいは、それより小（つまりＢ≦Ｗ）であるところの任意の帯域幅であり得る。
【００３１】
図５Ａは、設計帯域幅のサブキャリア構造を示す。設計帯域幅は、合計Ｋ個のサブキャリアへ分割される。それは、１からＫのインデックスを割り当てられ得る。設計帯域幅が固定されるので、サブキャリアの総数も固定される。
【００３２】
図５Ｂは、動作帯域幅Ｂのサブキャリア構造を示す。動作帯域幅は、設計帯域幅の全て、あるいは一部を占めてもよい。動作帯域幅内のサブキャリアは使用可能なサブキャリアと呼ばれ、また、動作帯域幅の外側のサブキャリアはガードサブキャリアと呼ばれる。使用可能なサブキャリアは、データで変調され得るサブキャリアである。ガードサブキャリアは、ゼロの信号の値で変調されるサブキャリアである、その結果、パワーはガードサブキャリア上で送信されない。使用可能なサブキャリアの数、Ｎは、以下のように与えられ得る。
【００３３】
Ｎ ＝ Ｋ・Ｂ／Ｗ 式（２）
ガードサブキャリアの数、Ｇは、Ｇ＝Ｋ−Ｎとして与えられ得る。
【００３４】
図４および５Ｂに示されるように、ＯＦＤＭベースのシステムは、可変ガードバンド/サブキャリアの使用により、Ｗヘルツまでの異なる帯域幅をサポートすることができる。例えば、システムは１０ＭＨｚの帯域幅のために設計されてもよい。システムは、８ＭＨｚの動作帯域幅の２つの側の各々上で１ＭＨｚのガードバンドを使用することにより、８ＭＨｚの動作帯域幅とともに展開され得る。一般に、左および右のガードバンドは、動作帯域幅Ｂおよび設計帯域幅Ｗに基づいて選択され得る。左および右のガードバンドは等しい長さを持っていてもよいし、持っていなくてもよい。
【００３５】
可変ガードバンド/サブキャリアを使用すると、そのＯＦＤＭベースのシステムは、単一のサンプルレートの異なる帯域幅をサポートすることができ、そして、全てのサポートされた帯域幅について同様の待ち時間を提示することができる。１／Ｗのサンプルレートはシステムに使用され得る、また、式（１）で示されるように、ＯＦＤＭシンボル持続時間が与えられ得る。式（１）の右辺の量は、動作帯域幅Ｂに無関係である。したがって、ＯＦＤＭシンボル期間 TＯＦＤＭおよび待ち時間は、動作帯域幅Ｂに無関係である。
【００３６】
図６は、設定可能な動作帯域幅のためのＯＦＤＭ変調器２２０ｂの設計のブロックダイヤグラムを示す。ＯＦＤＭ変調器２２０ｂも、図２の中のＯＦＤＭ変調器２２０および２９２に使用され得る。ＯＦＤＭ変調器２２０ｂの内では、直列−並列変換器６２０は、データ(例えばトラフィックデータ、シグナリング、パイロットなど)の変調シンボルを受け取り、Ｎ個の使用可能なサブキャリアに、これらの変調シンボルをマップする。マップされた変調シンボルは、Ｕ（ｋ）として表示される。ゼロ挿入ユニット６２２は、各ガードサブキャリア上にゼロのシンボルを挿入し、そして、各ＯＦＤＭシンボル期間においてＫ個の送信シンボルを供給する。ゼロのシンボルは、値ゼロの信号である。各送信シンボルは、データの変調シンボルまたはゼロのシンボルであり得る。送信シンボルは、Ｖ（ｋ）として表示される。ユニット６２０によるＮ個の使用可能なサブキャリアへのマッピングおよびユニット６２２によるゼロ挿入は、動作帯域幅Ｂに基づいて行なわれ得る。
【００３７】
ＩＦＦＴユニット６２４は、各ＯＦＤＭシンボル期間において合計Ｋ個のサブキャリアのためにＫ個の送信シンボルを受け取る、Ｋ−ポイントＩＦＦＴによりＫ個の送信シンボルを時間領域へ変換する、そして、Ｋ個の時間領域サンプルを供給する。各変換されたシンボルのＫ個のサンプルは、並列−直列変換器６２６によって直列化され、周期的プリフィックス発生器６２８によって周期的なプリフィックスを付加され、パルス整形によってフィルタされる、そして、パルス整形されたＯＦＤＭシンボルを生成するためにパルス整形フィルタ６３０によってフィルタされる。
【００３８】
図７は、設定可能な動作帯域幅のためのＯＦＤＭ復調器２６０ａの設計のブロックダイヤグラムを示す。ＯＦＤＭ復調器２６０ａは、図２の中のＯＦＤＭ復調器２６０および２３２に使用され得る。ＯＦＤＭ復調器２６０ａ内では、周期的プリフィックス除去ユニット７１０は、各ＯＦＤＭシンボル期間においてＫ+Ｃ+Ｌ個の受信サンプルを得て、パルス整形ウインドウのためのＬ個のサンプルおよび周期的なプリフィックスのためのＣ個のサンプルを除去し、そして、ＯＦＤＭシンボル期間のＫ個の受信したサンプルを供給する。直列−並列変換器７１２は、並列形式のＫ個の受信サンプルを供給する。ＦＦＴユニット７１４は、前記Ｋ個の受信サンプルをＫ−ポイントＦＦＴにより周波数領域へ変換する、そして、合計Ｋ個のサブキャリアに関してＫ個の受信シンボルを供給する。ＦＦＴユニット７１４からの受信シンボルは、Ｙ（ｋ）として表示される。
【００３９】
ゼロの除去ユニット７１６は、各ＯＦＤＭシンボル期間においてＫ個の受信シンボルを得る、Ｇガードサブキャリアから受信シンボルを除去する、そして、Ｎ個の使用可能なサブキャリアからＮ個の受信シンボルを供給する。ユニット７１６からの受信シンボルは、Ｒ（ｋ）として表示される。並列−直列変換器７２８は、ユニット７１６からの各ＯＦＤＭシンボルのＮ個の受信シンボルを直列化する。ユニット７１６によるゼロの除去、およびユニット７１８による並列−直列変換は、動作帯域幅Ｂに基づいて行なわれ得る。
【００４０】
ＯＦＤＭベースのシステムは、単一の設計帯域幅Ｗを持ち得る、そして、ＦＦＴサイズＫ、周期的なプリフィックス長さＣ、ウインドウ長さＬ、およびサンプルレートＷのような特定な値をパラメータ使用することができる。Ｗまでの異なる動作帯域幅は、Ｋ、Ｃ、Ｌおよびサンプルレートについて、これらの固定パラメータ値を使用してサポートされ得る。
【００４１】
ＯＦＤＭベースのシステムは、１より多くの設計帯域幅をも持ち得る、そして、各設計帯域幅のＫ、Ｃ、Ｌおよびサンプルレートに関して特有の値のセットを使用し得る。パラメータ値の異なるセットは、例えば、全ての設計帯域幅用のために同じ、または同様の待ち時間を達成するために、異なった設計帯域幅に関して選ばれ得る。例えば、ＯＦＤＭベースのシステムは、ＦＦＴサイズ５１２および１０２４を使用して、５ＭＨｚおよび１０ＭＨｚの帯域幅のためにそれぞれ設計され得る。５ＭＨｚの設計帯域幅は、５ＭＨｚまでの動作帯域幅、すなわちＢ≦５ＭＨｚ、をサポートするために使用され得る。１０ＭＨｚの設計帯域幅は、５から１０ＭＨｚまでの動作帯域幅、つまり５MHz ＜Ｂ≦１０ＭＨｚ、をサポートするために使用され得る。一般に、任意の数の設計帯域幅がサポートされ得る、そして、パラメータ値の任意のセットも各設計帯域幅に使用され得る。各設計帯域幅は、その設計帯域幅までの動作帯域幅の関連する範囲をサポートし得る。
【００４２】
上に説明されたように、可変ガードバンドは、異なる動作帯域幅をサポートするために使用され得る。可変ガードバンドは、また、異なるスペクトルの放射マスクをサポートするためにも使用され得る。スペクトルの放射マスクは、異なる周波数において許可された出力パワーレベルを規定する。より厳格なスペクトルの放射マスクは、出力パワーレベルがある周波数でより減衰されるべきことを要求し得る。パルス整形フィルタのインパルス応答は、典型的に、送信機の設計を単純化するために固定される。より多くのガードサブキャリアがより厳格なスペクトルの放射マスクの必要条件を満たすために使用され得る。
【００４３】
可変のガードバンドは、また、他の送信機からの妨害を回避するためにも使用され得る。例えば、ＯＦＤＭベースのシステムにおける基地局は、他のシステムにおける他の送信機からのハイ・レベルの妨害を監視することができる。基地局は、ハイ・レベルの妨害を伴うサブキャリアの使用避けるためにその動作帯域幅を調節し得る。これらのサブキャリアは、ガードサブキャリアになり、伝送のために使用されなくてもよい。
【００４４】
図８は、設定可能な動作帯域幅を備えた伝送のためのプロセス８００を示す。
【００４５】
プロセス８００は、送信機(例えばダウンリンク伝送のための基地局)あるいは受信機(例えばダウンリンク伝送のための端末)によって行われ得る。使用可能なサブキャリアおよびガードサブキャリアは、無線通信システムのための設定可能な動作帯域幅に基づいて決定される（ブロック８１２）。動作帯域幅は、例えば、システムに利用可能な帯域幅、システムのためのスペクトルの放射マスク等、に基づいて選択され得る。ブロック８１２中の決定は、シグナリング、コントロール・レジスタ、ハードワイヤード・ロジック、ソフトウェア・コマンド等に基づいてなされ得る。システムは、合計Ｋ個のサブキャリアに対応する設計帯域幅に関係付けられ得る。動作帯域幅は、Ｎ個の使用可能なサブキャリアに対応し得る、ここで、Ｋ≧Ｎ＞１。Ｎ個の使用可能なサブキャリアは、合計Ｋ個のサブキャリアの中で中央に位置させられ得る、また、ガードサブキャリアは、動作帯域幅の両側で均等に分散配置され得る。使用可能サブキャリア、またはガードサブキャリアの他の配置もまた可能である。処理は、使用可能なサブキャリア上で送信された伝送のために行われる（ブロック８１４）。その伝送は、トラフィックデータ、シグナリング、パイロット等を含み得る。
【００４６】
プロセス８００は送信機によって行なわれ得る。この場合、ブロック８１４については、変調シンボルは使用可能なサブキャリアにマップされ得る、そして、ゼロのシンボルがガードサブキャリアにマップされ得る。ＯＦＤＭシンボルは、マップされた変調シンボルおよびゼロのシンボルに基づいて生成され得る。ＯＦＤＭシンボルは、さらに、動作帯域幅に無関係であり得る周期的なプリフィックスの長さおよびＦＦＴサイズに基づいて生成され得る。出力サンプルは、動作帯域幅に無関係であるサンプルレートで生成され得る。
【００４７】
プロセス800は、また受信機によって行なわれ得る。この場合、ブロック８１４については、受信サンプルは、動作帯域幅に無関係であり得るサンプルレートで得ることができ、そして、合計Ｋ個のサブキャリアについて受信シンボルを得るために処理(例、ＯＦＤＭの復調)され得る。使用可能なサブキャリアからの受信シンボルは保持され得る、そして、ガードサブキャリアからの受信シンボルは廃棄され得る。使用可能なサブキャリアからの受信シンボルは、伝送において送信されたデータを再生するために処理(例、シンボル・デマップ、デインターリーブ、デコード)され得る。
【００４８】
動作帯域幅は、異なる数のガードサブキャリアおよび固定のＯＦＤＭシンボル持続時間に関連した多数の帯域幅から選ばれ得る。異なる動作帯域幅のＯＦＤＭシンボルは、同じＯＦＤＭシンボル持続時間を維持するが、しかしガードサブキャリアの数を変更することによって、生成され得る。
【００４９】
システムは単一の設計帯域幅に関係付けられ得る。動作帯域幅は、設計帯域幅によってサポートされた１つの範囲の帯域幅から選択され得る。ブロック８１４中の処理は、設計帯域幅についての１組のパラメータ値に基づいて行われ得る。あるいは、システムは多数の設計帯域幅に関係付けられ得る。各設計帯域幅は、動作帯域幅のそれぞれの範囲をサポートし得る。ブロック８１４中の処理は、使用に選ばれた動作帯域幅をサポートする設計帯域幅についての１組のパラメータ値に基づいて行われ得る。
【００５０】
図９は、設定可能な動作帯域幅を備えた伝送のための装置９００のデザインを示す。装置９００は、無線通信システム用の設定可能な動作帯域幅に基づいて使用可能なサブキャリアおよびガードサブキャリアを決定するための手段(例えばモジュール９１２)、および、使用可能なサブキャリア上で送信された伝送のための処理を行うための手段(例えばモジュール９１４)を含んでいる。モジュール９１２および９１４は、プロセッサ、エレクトロニクス装置、ハードウェア装置、エレクトロニクス・コンポーネント、論理回路、メモリ等、あるいはそれらの任意の組み合わせを含み得る。
【００５１】
別の態様では、ＯＦＤＭベースのシステムは、伝送の異なる部分についての異なるパラメータ値および／または異なる動作帯域幅を使用することができる。システムは、1つ以上のＯＦＤＭシンボルを含むプリアンブル、および任意の数ＯＦＤＭシンボルを含む本体を使用することができる。前記プリアンブルは、本体中で送信された伝送を復調しデコードするために使用される情報を運ぶことができる。前記本体はトラフィックデータおよび／または他のタイプのデータを運ぶことができる。異なる動作帯域幅および／またはパラメータ値は、前記プリアンブルと本体に使用され得る。
【００５２】
図１０は、ＯＦＤＭベースのシステムに使用され得るスーパーフレーム構造１０００を示す。システムにおける伝送についての予定（timeline）はスーパーフレームに分割され得る。各スーパーフレームは、既定の持続時間が持つことができる。スーパーフレームは、またフレーム、スロット、またはいくつかの他の用語で呼ばれ得る。図１０に示された設計では、各スーパーフレームは、プリアンブル１０１０および本体１０２０を含んでいる。プリアンブル１０１０は、パイロット・フィールド１０１２およびオーバヘッド・フィールド１０１４を含んでいる。
【００５３】
パイロット・フィールド１０１２は、パイロットおよび／または、システム検知、時間および周波数の獲得、チャンネル評価などのような種々の目的に使用される他の信号を運ぶことができる。オーバヘッド・フィールド１０１４は、データが本体１０２０においてどのように送信されるかに関する情報、システム情報などを運ぶことができる。例えば、オーバヘッド・フィールド１０１４は、本体１０２０に使用された、動作帯域幅、ＦＦＴサイズ、周期的なプリフィックスの長さ、ウインドウの長さ、周波数ホップ・シーケンス等のようなパラメータ情報を運び得る。本体１０２０は、データ（例えばトラフィックデータ、シグナリング、パイロット等)を運び得る。３つのフィールド１０１２、１０１４および１０２０は、同期とデータ再生を容易にするために、図１０に示されるように各スーパーフレーム中で時分割多重化され得る。パイロット・フィールド１０１２は、各スーパーフレーム中で最初に送信され得る、そしてオーバヘッド・フィールド１０１４の検出に使用され得る。オーバヘッド・フィールド１０１４から得られた情報は、本体１０２０において送信されたデータを再生するために使用され得る。
【００５４】
図１１は、異なるフィールド用の異なる動作帯域幅および異なる設計帯域幅を持った構造１１００のデザインを示す。構造１１００においては、１つの設計帯域幅ＷＰおよび１つのＦＦＴサイズＫＰはプリアンブルに使用され得る。別の設計帯域幅ＷＭおよび別のＦＦＴサイズＫＭは、本体に使用され得る。プリアンブル用のＮＰ個の使用可能なサブキャリアおよび動作帯域幅ＢＰは、プリアンブル用の設計帯域幅ＷＰおよび合計ＫＰ個のサブキャリアに基づいて選択され得る。本体用のＮＭ個の使用可能なサブキャリアおよび動作帯域幅ＢＭは、本体用の合計ＫＭ個のサブキャリアおよび設計帯域幅ＷＭに基づいて選択され得る。前記パラメータは、例えば、以下のように選択され得る。
【００５５】
ＷＰ≦ＷＭ 、 ＢＰ≦ＢＭ 、および ＫＰ≦ＫＭ 式（３）
異なる設計帯域幅、動作帯域幅、ＦＦＴサイズ等も、プリアンブルのパイロットおよびオーバヘッド・フィールドのために使用され得る。
【００５６】
あるいは、１つの設計帯域幅Ｗおよび１つのＦＦＴサイズＫは、全てのフィールドのために使用され得る、また、異なる動作帯域幅は、異なるフィールドのために使用され得る。Ｂpilotの動作帯域幅は、パイロット・フィールドのために使用され得る。Ｂoverheadの動作帯域幅は、オーバヘッド・フィールドのために使用され得る。そして、Ｂmainの動作帯域幅は、本体に使用され得る。種々のフィールド用の帯域幅は、例えば、以下のように選択され得る。
【００５７】
Ｂpilot ≦ Ｂoverhead ≦ Ｂmain ≦ Ｗ 式（４）
異なるフィールド用の帯域幅は、種々の方法で運ばれ得る。1つの設計では、パイロット・フィールド、オーバヘッド・フィールドおよび本体のための動作帯域幅および設計帯域幅は、アプリオリ（a priori）に、端末に固定され、そして知られている。
【００５８】
別の設計では、パイロット・フィールド、オーバヘッド・フィールドおよび本体のための設計帯域幅は、固定され、そして、パイロット・フィールド、オーバヘッド・フィールドおよび／本体用の動作帯域幅は設定可能である。各設定可能なフィールドのパラメータ値は、別のフィールドで送信され得る。例えば、オーバヘッド・フィールド用のパラメータ値および動作帯域幅は、パイロット・フィールドで運ばれ得る。本体用の動作帯域幅およびパラメータ値は、オーバヘッド・フィールドで運ばれ得る。端末は、端末にアプリオリに知られたか、または、パイロット・フィールドを介して運ばれたパラメータ値に基づいてオーバヘッド・フィールドを再生することができる。その後、端末は、オーバヘッド・フィールドから得られたパラメータ値に基づいて、本体中で送信された伝送を再生することができる。
【００５９】
またさらに別の設計では、少数の既定のパラメータ値のセットは、与えられたフィールド(例えばパイロット・フィールド、オーバヘッド・フィールド、本体)のために使用され得る。端末は、既定のパラメータセットについての知識を持っており、そして、既定のパラメータのセットに基づいて、このフィールドでの伝送を再生することを試みることができる。
【００６０】
上記の設計の組み合わせもまた、異なるフィールドのために使用され得る。例えば、パラメータ値の既知のセットは、パイロット・フィールドのために使用され得る、少数の既定のパラメータ値のセットは、オーバヘッド・フィールドのために使用され得る、そして、パラメータ値の設定可能なセットは、本体のために使用され、そしてオーバヘッド・フィールドで運ばれ得る。端末は、パラメータ値の既知のセットに基づいてパイロットを再生することができる。前記端末は、パラメータ値の既定のセットに基づいてオーバーヘッドを再生し、本体のためにパラメータ値の設定可能なセットを得ることができる。それから、端末は、パラメータ値の設定可能なセットに基づいて本体中で送信された伝送を再生し得る。
【００６１】
図１２は、送信機または受信機によって行われるプロセス１２００のデザインを示す。処理は、第１の動作帯域幅を使用して送信された伝送の第１の部分について行われる（ブロック１２１２）。処理は、第２の動作帯域幅を使用して送信された伝送の第２の部分について行なわれる（ブロック１２１４）。第１の部分はプリアンブルに対応し得る、また、第２の部分は、伝送の本体に対応し得る。
【００６２】
プロセス１２００は、送信機によって行われ得る。この場合、シグナリングは、伝送の第１の部分に使用され、そして第１の動作帯域幅に基づいて決定された、サブキャリアの第１のセット上で送信され得る。データは、伝送の第２の部分に使用され、第２の動作帯域幅に基づいて決定された、サブキャリアの第２のセット上で送信され得る。前記シグナリングは、伝送の第２の部分用パラメータついての情報を含み得る。パラメータ、第２の動作帯域幅、ＦＦＴサイズ、周期的なプリフィックスの長さ、周波数ホッピングシーケンス等を含み得る。
【００６３】
プロセス１２００は、また受信機によって行われ得る。この場合、シグナリングはサブキャリアの第１のセットから受信され得る、また、データはサブキャリアの第２のセットから受信され得る。シグナリングは、伝送の第２の部分用パラメータついての情報を得るために処理され得る。送信の第２の部分はシグナリングから得られた情報に基づいて処理され得る。
【００６４】
１つの設計では、第１および第２の動作帯域幅は、第１および第２の両方部分に利用可能な１セットの動作帯域幅から選択される。別の設計では、第１の動作帯域幅は、第１の部分に利用可能な動作帯域幅の第１のセットから選択される。第２の動作帯域幅は、第２の部分に利用可能な動作帯域幅の第２のセットから選択される。
【００６５】
１つの設計では、第１および第２の部分は、１つの設計帯域幅に関係付けられている。第１および第２の部分のための処理は、この設計帯域幅用のパラメータ値の１セットに基づき得る。別の設計では、第１および第２の部分は、第１および第２の設計帯域幅にそれぞれ関係付けられている。第１の部分のための処理は、第１の設計帯域幅用パラメータ値の第１のセットに基づき得る。第２の部分のための処理は、第２の設計帯域幅用パラメータ値の第２のセットに基づき得る。設計帯域幅の第１のセットは、第１の部分に適用可能かもしれない、また、設計帯域幅の第２のセットは、第２の部分には適用可能かもしれない。第１および第２の設計帯域幅は、第１および第２のセットからそれぞれ選択され得る。
【００６６】
第１の部分は、第２の部分より少数の動作帯域幅および／または、より少数の設計帯域幅、に関係付けられ得る。これは、第１の部分中で送信された伝送を再生するために評価する仮定（hypotheses）の数を減らし得る。
【００６７】
図１３は、伝送のための装置１３００のデザインを示す。装置１３００は、第１の動作帯域幅を使用して送信された伝送の第１の部分についての処理を行うための手段(例えばモジュール１３１２)、および、第２の動作帯域幅を使用して送信された伝送の第２の部分についての処理を行うための手段(例えばモジュール１３１４)、を含んでいる。モジュール１３１２および１３１４は、プロセッサ、エレクトロニクス装置、ハードウェア装置、エレクトロニクス・コンポーネント、論理回路、メモリ等、あるいは、それらの任意の組み合わせを含み得る。
【００６８】
ここに説明された伝送技術は、種々の手段によって実現され得る。例えば、技術は、ハードウェア、ファームウェア、ソフトウェアあるいはそれらの組み合わせで実現され得る。ハードウェアによる実現については、エンティティ(例えば基地局または端末)における処理ユニットは、１つ以上の、特定用途向けＩＣ（ＡＳＩＣ）、ディジタル信号プロセッサ（ＤＳＰ）、ディジタル信号処理装置（ＤＳＰＤ）、プログラム可能論理デバイス（ＰＬＤ）、フィールドプログラム可能なゲート・アレイ（ＦＰＧＡ）、プロセッサ、コントローラ、マイクロ・コントローラ、マイクロプロセッサ、電子デバイス、ここに説明した機能を行うように設計された他の電子ユニット、あるいはそれらの組み合わせ、の内に実現され得る。
【００６９】
ファームウェアおよび／またはソフトウェアによる実現については、前記技術は、ここに説明された機能を行うモジュール(例えば手続き、関数など)で実現され得る。ファームウェアおよび／またはソフトウェア・コードは、メモリ（例えば、図２おけるメモリ２４２あるいは２８２）に格納され、プロセッサ（例えばプロセッサ２４０あるいは２８０)によって実行され得る。メモリは、プロセッサの内部か、あるいはプロセッサの外部に実装され得る。
【００７０】
本開示についての以前の説明は、いかなる当業者であっても前記開示を作るか使用することを可能にするために提供される。前記開示への種々の修正は、当業者に容易に明らかになるであろう、また、ここに定義された総括的な法則は、前記開示の精神か範囲から外れずに、他のバリエーションに適用され得る。したがって、その開示は、ここに説明された例に制限されるべきことは意図されておらず、ここに開示された法則と新規な特徴と矛盾しない最も広い範囲を与えられるべきである。
【図１】
2014161013.tif 000003
【図２】
2014161013.tif 000004
【図３】
2014161013.tif 000005
【図４】
2014161013.tif 000006
【図５Ａ】
2014161013.tif 000007
【図５Ｂ】
2014161013.tif 000008
【図６】
2014161013.tif 000009
【図７】
2014161013.tif 000010
【図８】
2014161013.tif 000011
【図９】
2014161013.tif 000012
【図１０】
2014161013.tif 000013
【図１２】
2014161013.tif 000014
【図１３】
2014161013.tif 000015
【図１１】
2014161013.tif 000016
【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
第１の動作帯域幅を使用して送信された伝送の第１の部分のための処理を行うように、かつ第２の動作帯域幅を使用して送信された前記伝送の第２の部分のための処理を行なうように、構成されたプロセッサと、
前記プロセッサに結合されたメモリ、
を備える装置。
【請求項２】
前記第１の部分はプリアンブルに対応し、そして前記第２の部分が前記伝送の本体に対応する、請求項１に記載の装置。
【請求項３】
前記第１の動作帯域幅は、前記第２の動作帯域幅より小さい、請求項２に記載の装置。
【請求項４】
前記プロセッサは、前記伝送の前記第１の部分に使用され、そして前記第１の動作帯域幅に基づいて決定された、サブキャリアの第１のセット上でシグナリングを送信するように、かつ前記伝送の前記第２の部分に使用され、そして前記第２の動作帯域幅に基づいて決定された、サブキャリアの第２のセット上でデータを送信するように、構成される、請求項１に記載の装置。
【請求項５】
前記シグナリングは、前記伝送の前記第２の部分用のパラメータのための情報を含む、請求項４に記載の装置。
【請求項６】
前記パラメータは、前記第２の動作帯域幅、高速フーリエ変換（ＦＦＴ）のサイズ、周期的なプリフィックスの長さ、周波数ホッピングシーケンスあるいはそれらの組み合わせを含む、請求項５に記載の装置。
【請求項７】
前記プロセッサは、前記伝送の前記第１の部分に使用され、そして前記第１の動作帯域幅に基づいて決定された、サブキャリアの第１のセットからシグナリングを受信するように、かつ前記伝送の前記第２の部分に使用され、そして前記第２の動作帯域幅に基づいて決定された、サブキャリアの第２のセットからデータを受信するように、構成される、請求項１に記載の装置。
【請求項８】
前記プロセッサは、前記伝送の前記第２の部分用のパラメータのための情報を得るために前記シグナリングを処理するように、かつ前記シグナリングから得られた前記情報に基づいて前記伝送の前記第２の部分を処理するように、構成される、請求項７に記載の装置。
【請求項９】
前記プロセッサは、前記第１の部分に適用可能な第１の設計帯域幅用のパラメータ値の第１のセットに基づいて前記伝送の前記第１の部分のための処理を行なうように、かつ前記第２の部分に適用可能な第２の設計帯域幅用のパラメータ値の第２のセットに基づいて前記伝送の前記第２の部分のための処理を行なうように、構成される、請求項１に記載の装置。
【請求項１０】
前記第１の設計帯域幅は、前記第１の部分に適用可能な設計帯域幅の第１のセットにあり、そして、前記第２の設計帯域幅は、前記第２の部分に適用可能な設計帯域幅の第２のセットにあり、前記第１のセットは、前記第２のセットより少数の設計帯域幅を含んでいる、請求項９に記載の装置。
【請求項１１】
前記プロセッサは、前記第１および第２の部分に適用可能な設計帯域幅用の１セットのパラメータ値に基づいて前記伝送の前記第１および第２の部分のための処理を行なうように、構成される、請求項１に記載の装置。
【請求項１２】
前記第１の動作帯域幅は、前記第１の部分に利用可能な動作帯域幅の第１のセットから選ばれる、そして、
前記第２の動作帯域幅は、前記第２の部分に利用可能な動作帯域幅の第２のセットから選ばれる、請求項１に記載の装置。
【請求項１３】
前記第１のセットは、前記第２のセットより少数の動作帯域幅を含む、請求項１２に記載の装置。
【請求項１４】
第１の動作帯域幅を使用して送信された伝送の第１の部分のための処理を行なうことと、
第２の動作帯域幅を使用して送信された前記伝送の第２の部分のための処理を行なうこと、
を含む方法。
【請求項１５】
前記伝送の前記第１の部分に使用され、そして前記第１の動作帯域幅に基づいて決定された、サブキャリアの第１のセット上でシグナリングを送信することと、
前記伝送の前記第２の部分に使用され、そして前記第２の動作帯域幅に基づいて決定された、サブキャリアの第２のセット上でデータを送信すること、
をさらに含む請求項１４に記載の方法。
【請求項１６】
前記伝送の前記第１の部分に使用され、そして前記第１の動作帯域幅に基づいて決定された、サブキャリアの第１のセットからシグナリングを受信することと、
前記伝送の前記第２の部分に使用され、そして前記第２の動作帯域幅に基づいて決定された、サブキャリアの第２のセットからデータを受信すること、
をさらに含む請求項１４に記載の方法。
【請求項１７】
前記第１の部分のための処理を行うことは、前記伝送の前記第２の部分用のパラメータのための情報を得るように前記シグナリングを処理することを含み、かつ前記第２の部分のための処理を行うことは、前記シグナリングから得られた前記情報に基づいて前記伝送の前記第２の部分を処理することを含む、
請求項１６に記載の方法。
【請求項１８】
第１の動作帯域幅を使用して送信された伝送の第１の部分のための処理を行なうための手段と、
第２の動作帯域幅を使用して送信された前記伝送の第２の部分のための処理を行なうための手段、
を備える装置。
【請求項１９】
前記伝送の前記第１の部分に使用され、そして前記第１の動作帯域幅に基づいて決定された、サブキャリアの第１のセット上でシグナリングを送信するための手段と、
前記伝送の前記第２の部分に使用され、そして前記第２の動作帯域幅に基づいて決定された、サブキャリアの第２のセット上でデータを送信するための手段、
をさらに備える請求項１８に記載の装置。
【請求項２０】
前記伝送の前記第１の部分に使用され、そして前記第１の動作帯域幅に基づいて決定された、サブキャリアの第１のセットからシグナリングを受信するための手段と、
前記伝送の前記第２の部分に使用され、そして前記第２の動作帯域幅に基づいて決定された、サブキャリアの第２のセットからデータを受信するための手段、
をさらに備える請求項１８に記載の装置。
【請求項２１】
前記第１の部分のための処理を行なうための前記手段は、前記伝送の前記第２の部分用のパラメータのための情報を得るために前記シグナリングを処理するための手段を備え、そして前記第２の部分のための処理を行なうための前記手段は、前記シグナリングから得られた前記情報に基づいて前記伝送の前記第２の部分を処理するための手段を備える、請求項２０に記載の装置。
【手続補正２】
【補正対象書類名】明細書
【補正対象項目名】００７０
【補正方法】変更
【補正の内容】
【００７０】
本開示についての以前の説明は、いかなる当業者であっても前記開示を作るか使用することを可能にするために提供される。前記開示への種々の修正は、当業者に容易に明らかになるであろう、また、ここに定義された総括的な法則は、前記開示の精神か範囲から外れずに、他のバリエーションに適用され得る。したがって、その開示は、ここに説明された例に制限されるべきことは意図されておらず、ここに開示された法則と新規な特徴と矛盾しない最も広い範囲を与えられるべきである。
なお、以下に、出願当初の特許請求の範囲に記載された発明を付記する。
［Ｃ１］無線通信システムのための設定可能な動作帯域幅に基づいて、使用可能なサブキャリアおよびガードサブキャリアを決定するように、かつ前記使用可能なサブキャリア上で送信された伝送のための処理を行うように、構成されたプロセッサと、
前記プロセッサに結合されたメモリ、
を備える装置。
［Ｃ２］前記プロセッサは、前記使用可能なサブキャリアに変調シンボルをマップする、前記ガードサブキャリアにゼロのシンボルをマップする、かつ前記マップされた変調シンボルおよびゼロのシンボルに基づいて直交周波数分割多重（ＯＦＤＭ）シンボルを生成する、ように構成される、Ｃ１に記載の装置。
［Ｃ３］前記プロセッサは、前記動作帯域幅に無関係である、高速フーリエ変換（ＦＦＴ）のサイズおよび周期的なプリフィックスの長さに基づいて前記ＯＦＤＭシンボルを生成するように構成される、Ｃ２に記載の装置。
［Ｃ４］前記プロセッサは、前記動作帯域幅に無関係であるサンプルレートで出力サンプルを生成するように構成される、Ｃ１に記載の装置。
［Ｃ５］前記プロセッサは、前記使用可能なサブキャリアから受信シンボルを得る、前記ガードサブキャリアから受信シンボルを廃棄する、かつ前記伝送において送信されたデータを再生するために前記使用可能なサブキャリアからの前記受信シンボルを処理する、ように構成される、Ｃ１に記載の装置。
［Ｃ６］前記プロセッサは、前記動作帯域幅に無関係であるサンプルレートで受信サンプルを得る、かつ前記使用可能なサブキャリアおよびガードサブキャリアについての前記受信シンボルを得るために前記受信サンプルを処理する、ように構成される、Ｃ５に記載の装置。
［Ｃ７］前記無線通信システムは、合計Ｋ個のサブキャリアに対応する設計帯域幅に関係している、そして、前記動作帯域幅は、Ｎ個の使用可能なサブキャリアに対応する、
ここで、Ｋ≧Ｎ＞１である、Ｃ１に記載の装置。
［Ｃ８］前記Ｎ個の使用可能なサブキャリアは、合計Ｋ個のサブキャリアの中で中央に位置させられる、Ｃ７に記載の装置。
［Ｃ９］前記ガードサブキャリアは、前記動作帯域幅の両側で均等に分散配置される、Ｃ１に記載の装置。
［Ｃ１０］前記無線通信システムは、単一の設計帯域幅に関係している、および、前記動作帯域幅は、前記設計帯域幅によってサポートされた１つの範囲の帯域幅から選択される、そして、前記プロセッサは、前記設計帯域幅用のパラメータ値の１セットに基づいて前記伝送のための処理を行なうように構成される、Ｃ１に記載の装置。
［Ｃ１１］前記無線通信システムは、多数の設計帯域幅、帯域幅のそれぞれの範囲をサポートする各設計帯域幅に関係している、そして、前記プロセッサは、前記動作帯域幅をサポートする設計帯域幅用のパラメータ値の１セットに基づいて前記伝送のための処理を行なうように構成される、Ｃ１に記載の装置。
［Ｃ１２］前記無線通信システムは、第１および第２の設計帯域幅に関係しており、そして、前記プロセッサは、前記動作帯域幅が第１の範囲内にある場合に、前記第１の設計帯域幅用パラメータ値の第１のセットに基づいて前記伝送のための処理を行なうように、かつ前記動作帯域幅が前記第１の範囲より低い第２の範囲内にある場合に、前記第２の設計帯域幅用パラメータ値の第２のセットに基づいて前記伝送のための処理を行なうように構成される、Ｃ１に記載の装置。
［Ｃ１３］前記動作帯域幅は、前記無線通信システムに利用可能な周波数帯域幅に基づいて決定される、Ｃ１に記載の装置。
［Ｃ１４］前記動作帯域幅は、前記無線通信システム用のスペクトルの放射マスクに基づいて決定される、Ｃ１に記載の装置。
［Ｃ１５］前記動作帯域幅は、異なる数のガードサブキャリアおよび固定の直交周波数分割多重(ＯＦＤＭ)シンボルの持続時間に関連した複数の帯域幅から選ばれる、Ｃ１に記載の装置。
［Ｃ１６］無線通信システム用の設定可能な動作帯域幅に基づいて、使用可能なサブキャリアおよびガードサブキャリアを決定することと、
前記使用可能なサブキャリア上で送信された伝送のための処理を行なうこと、を含む方法。
［Ｃ１７］前記伝送のための処理を行うことは、
前記使用可能なサブキャリアへ変調シンボルをマップすることと、
前記ガードサブキャリアへゼロのシンボルをマップすることと、
前記マップされた変調シンボルおよびゼロのシンボルに基づいて直交周波数分割多重（ＯＦＤＭ）シンボルを生成することを含む、Ｃ１６に記載の方法。
［Ｃ１８］前記伝送のための処理を行うことは、
前記使用可能なサブキャリアから受信シンボルを得ることと、
前記ガードサブキャリアからの受信シンボルを廃棄することと、
前記伝送において送信されたデータを再生するために前記使用可能なサブキャリアからの前記受信シンボルを処理することを含む、Ｃ１６に記載の方法。
［Ｃ１９］無線通信システム用の設定可能な動作帯域幅に基づいて、使用可能なサブキャリアおよびガードサブキャリアを決定するための手段と、
前記使用可能なサブキャリア上で送信された伝送のための処理を行なうための手段、
を備える装置。
［Ｃ２０］前記伝送のための処理を行なうための前記手段は、
前記使用可能なサブキャリアに変調シンボルをマップするための手段と、
前記ガードサブキャリアにゼロのシンボルをマップするための手段と、
前記マップされた変調シンボルおよびゼロのシンボルに基づいて直交周波数分割多重（ＯＦＤＭ）シンボルを生成するための手段、
を備えるＣ１９に記載の装置。
［Ｃ２１］前記伝送のための処理を行なうための前記手段は、
前記使用可能なサブキャリアから受信シンボルを得るための手段と、
前記ガードサブキャリアからの受信シンボルを廃棄するための手段と、
前記伝送で送信されたデータを再生するために前記使用可能なサブキャリアからの前記受信シンボルを処理するための手段、
を備えるＣ１９に記載の装置。
［Ｃ２２］無線通信システム用の設定可能な動作帯域幅、この動作帯域幅は異なる数のガードサブキャリアおよび固定の直交周波数分割多重（ＯＦＤＭ）シンボルの持続時間に関連した複数の帯域幅から選ばれたものである、に基づいて使用可能なサブキャリアおよびガードサブキャリアを決定するように、かつ、前記使用可能なサブキャリア上で送信された伝送、この伝送は前記固定の持続時間を持つＯＦＤＭのシンボルを含むものである、のための処理を行うように、構成されたプロセッサと、
前記プロセッサに結合されたメモリ、
を備える装置。
［Ｃ２３］第１の動作帯域幅を使用して送信された伝送の第１の部分のための処理を行うように、かつ第２の動作帯域幅を使用して送信された前記伝送の第２の部分のための処理を行なうように、構成されたプロセッサと、
前記プロセッサに結合されたメモリ、
を備える装置。
［Ｃ２４］前記第１の部分はプリアンブルに対応し、そして前記第２の部分が前記伝送の本体に対応する、Ｃ２３に記載の装置。
［Ｃ２５］前記第１の動作帯域幅は、前記第２の動作帯域幅より小さい、Ｃ２４に記載の装置。
［Ｃ２６］前記プロセッサは、前記伝送の前記第１の部分に使用され、そして前記第１の動作帯域幅に基づいて決定された、サブキャリアの第１のセット上でシグナリングを送信するように、かつ前記伝送の前記第２の部分に使用され、そして前記第２の動作帯域幅に基づいて決定された、サブキャリアの第２のセット上でデータを送信するように、構成される、Ｃ２３に記載の装置。
［Ｃ２７］前記シグナリングは、前記伝送の前記第２の部分用パラメータのための情報を含む、Ｃ２６に記載の装置。
［Ｃ２８］前記パラメータは、前記第２の動作帯域幅、高速フーリエ変換（ＦＦＴ）のサイズ、周期的なプリフィックスの長さ、周波数ホッピングシーケンスあるいはそれらの組み合わせを含む、Ｃ２７に記載の装置。
［Ｃ２９］前記プロセッサは、前記伝送の前記第１の部分に使用され、そして前記第１の動作帯域幅に基づいて決定された、サブキャリアの第１のセットからシグナリングを受信するように、かつ前記伝送の前記第２の部分に使用され、そして前記第２の動作帯域幅に基づいて決定された、サブキャリアの第２のセットからデータを受信するように、構成される、Ｃ２３に記載の装置。
［Ｃ３０］前記プロセッサは、前記伝送の第２の部分用パラメータについての情報を得るためにシグナリングを処理するように、かつ前記シグナリングから得られた前記情報に基づいて前記伝送の前記第２の部分を処理するように、構成される、Ｃ２９に記載の装置。
［Ｃ３１］前記プロセッサは、前記第１の部分に適用可能な第１の設計帯域幅用パラメータ値の第１のセットに基づいて前記伝送の前記第１の部分のための処理を行なうように、かつ前記第２の部分に適用可能な第２の設計帯域幅用パラメータ値の第２のセットに基づいて前記伝送の第２の部分のための処理を行なうように、構成される、Ｃ２３に記載の装置。
［Ｃ３２］前記第１の設計帯域幅は、前記第１の部分に適用可能な設計帯域幅の第１のセットにあり、そして、前記第２の設計帯域幅は、前記第２の部分に適用可能な設計帯域幅の第２のセットにあり、前記第１のセットは、前記第２のセットより少数の設計帯域幅を含んでいる、Ｃ３１に記載の装置。
［Ｃ３３］前記プロセッサは、前記第１および第２の部分に適用可能な設計帯域幅用の１セットのパラメータ値に基づいて前記伝送の前記第１および第２の部分のための処理を行なうように、構成される、Ｃ２３に記載の装置。
［Ｃ３４］前記第１の動作帯域幅は、前記第１の部分に利用可能な動作帯域幅の第１のセットから選ばれる、そして、
前記第２の動作帯域幅は、前記第２の部分に利用可能な動作帯域幅の第２のセットから選ばれる、Ｃ２３に記載の装置。
［Ｃ３５］前記第１のセットは、前記第２のセットより少数の動作帯域幅を含む、Ｃ３４に記載の装置。
［Ｃ３６］第１の動作帯域幅を使用して送信された伝送の第１の部分のための処理を行なうことと、
第２の動作帯域幅を使用して送信された前記伝送の第２の部分のための処理を行なうこと、
を含む方法。
［Ｃ３７］前記伝送の前記第１の部分に使用され、そして前記第１の動作帯域幅に基づいて決定された、サブキャリアの第１のセット上でシグナリングを送信することと、
前記伝送の前記第２の部分に使用され、そして前記第２の動作帯域幅に基づいて決定された、サブキャリアの第２のセット上でデータを送信すること、
をさらに含むＣ３６に記載の方法。
［Ｃ３８］前記伝送の前記第１の部分に使用され、そして前記第１の動作帯域幅に基づいて決定された、サブキャリアの第１のセットからシグナリングを受信することと、
前記伝送の前記第２の部分に使用され、そして前記第２の動作帯域幅に基づいて決定された、サブキャリアの第２のセットからデータを受信すること、
をさらに含むＣ３６に記載の方法。
［Ｃ３９］前記第１の部分のための処理を行うことは、前記伝送の第２の部分のパラメータ情報を得るように前記シグナリングを処理することを含み、かつ前記第２の部分のための処理を行うことは、前記シグナリングから得られた前記情報に基づいて前記伝送の前記第２の部分を処理することを含む、
Ｃ３８に記載の方法。
［Ｃ４０］第１の動作帯域幅を使用して送信された伝送の第１の部分のための処理を行なうための手段と、
第２の動作帯域幅を使用して送信された前記伝送の第２の部分のための処理を行なうための手段、
を備える装置。
［Ｃ４１］前記伝送の前記第１の部分に使用され、そして前記第１の動作帯域幅に基づいて決定された、サブキャリアの第１のセット上でシグナリングを送信するための手段と、
前記伝送の前記第２の部分に使用され、そして前記第２の動作帯域幅に基づいて決定された、サブキャリアの第２のセット上でデータを送信するための手段、
をさらに備えるＣ４０に記載の装置。
［Ｃ４２］前記伝送の前記第１の部分に使用され、そして前記第１の動作帯域幅に基づいて決定された、サブキャリアの第１のセットからシグナリングを受信するための手段と、
前記伝送の前記第２の部分に使用され、そして前記第２の動作帯域幅に基づいて決定された、サブキャリアの第２のセットからデータを受信するための手段、
をさらに備えるＣ４０に記載の装置。
［Ｃ４３］前記第１の部分のための処理を行なうための前記手段は、前記伝送の前記第２の部分用パラメータの情報を得るために前記シグナリングを処理するための手段を備え、そして前記第２の部分のための処理を行なうための前記手段は、前記シグナリングから得られた前記情報に基づいて前記伝送の前記第２の部分を処理するための手段を備える、Ｃ４２に記載の装置。
【外国語明細書】
2014161013000001.pdf